(57)【要約】【課題】ユーザが望む画像読取処理を実行可能な画像読取装置を提供する。【解決手段】搬送媒体を搬送する搬送手段と、搬送される前記搬送媒体の画像を読み取る画像読取センサと、前記搬送媒体に設けられたマークを読み取るマーク読取センサと、前記マーク読取センサによるマーク読取結果に基づいて、前記画像読取センサが前記搬送媒体の画像を読み取るときの画像読取条件を変更する条件変更手段とを備えたことを特徴とする画像読取装置。【選択図】図１５
2019201260.tif 000002
【特許請求の範囲】
【請求項１】
搬送媒体を搬送する搬送手段と、
搬送される前記搬送媒体の画像を読み取る画像読取センサと、
前記搬送媒体に設けられたマークを読み取るマーク読取センサと、
前記マーク読取センサによるマーク読取結果に基づいて、前記画像読取センサが前記搬送媒体の画像を読み取るときの画像読取条件を変更する条件変更手段と
を備えたことを特徴とする画像読取装置。
【請求項２】
前記条件変更手段は、前記マーク読取センサによるマーク読取結果に基づいて、１つの前記搬送媒体の読み取りを行っている途中で前記画像読取条件を変更することを特徴とする請求項１に記載の画像読取装置。
【請求項３】
前記条件変更手段は、前記搬送媒体における前記マークによって指定された領域に対する画像読取条件を変更することを特徴とする請求項１または２に記載の画像読取装置。
【請求項４】
前記条件変更手段は、前記指定された領域に対し、前記画像読取センサによる画像読取の解像度を変更することを特徴とする請求項３に記載の画像読取装置。
【請求項５】
前記マーク読取センサは、前記画像読取センサよりも搬送方向上流側に配置され、
前記条件変更手段は、前記指定された領域の先端が前記画像読取センサの読取位置に到達する前のタイミングで、前記搬送手段の搬送条件を変更することを特徴とする請求項３または４に記載の画像読取装置。
【請求項６】
前記条件変更手段によって前記搬送手段の搬送条件を変更する前後において、前記画像読取センサの駆動条件を変更しないことを特徴とする請求項５に記載の画像読取装置。
【請求項７】
前記条件変更手段は、１つの前記搬送媒体に対して適用する画像読取条件を複数回変更することを特徴とする請求項１から６のいずれか一項に記載の画像読取装置。
【請求項８】
前記搬送媒体は、搬送方向に沿って前記マークが設けられたキャリアシートであることを特徴とする請求項１から７のいずれか一項に記載の画像読取装置。
【請求項９】
前記搬送媒体は、前記マークが設けられたジョブコントロールシートと、前記画像読取センサによって画像を読み取る対象となる原稿とを有し、
前記ジョブコントロールシートに設けられた前記マークを前記マーク読取センサによって読み取って得たマーク読取結果に基づいて、前記ジョブコントロールシートに続けて搬送される原稿の画像を読み取る画像読取条件を原稿画像の読み取り中に前記条件変更手段によって変更することを特徴とする請求項１から８のいずれか一項に記載の画像読取装置。
【請求項１０】
前記マークによって指定された前記搬送媒体先端からの指定距離を前記マーク読取結果より算出し、前記搬送媒体先端から前記指定距離離れた位置が前記画像読取センサの読み取り位置に到達すると、画像読取条件を変更して前記搬送媒体の画像の読み取りを行うことを特徴とする請求項１に記載の画像読取装置。
【請求項１１】
前記搬送媒体には、複数の前記指定距離が設定されていることを特徴とする請求項１０に記載の画像読取装置。
【請求項１２】
前記画像読取条件は、搬送速度、解像度、画像読取センサの読み取り速度のいずれかを含むことを特徴とする請求項１０又は１１に記載の画像読取装置。
【発明の詳細な説明】
【技術分野】
【０００１】
本発明は、原稿を搬送しながら原稿の画像を読み取る画像読取装置に関する。
【背景技術】
【０００２】
従来から、原稿を搬送しながら原稿の画像を読み取る画像読取装置が知られている。このような画像読取装置において、例えば、その搬送媒体として冊子や二つ折り原稿、薄紙などの特殊な原稿を搬送する場合には、破損や搬送不良となることがあるため、袋状の透明なキャリアシートに挟むことが好ましい。また、キャリアシートの端部に識別情報を付与し、その識別情報を読み取ることで、識別情報と紐づけられたタスク条件でキャリアシート内の原稿読取処理を行う画像読取装置が知られている（特許文献１参照）。
【先行技術文献】
【特許文献】
【０００３】
【特許文献１】特開２０１７−６９６３７号公報
【発明の概要】
【発明が解決しようとする課題】
【０００４】
ところで、特許文献１のような識別情報付きのキャリアシートによれば、原稿単位で所望の画像読取を行うことが可能になるが、例えば、高解像度の画像読取条件を適用すると相対的に搬送速度が遅くなって作業時間がかかってしまうことになり、低解像度の画像読取条件を適用すると原稿の全てが低解像度の読み取りとなってユーザが望む画像が得られない場合も考えられる。すなわち、従来の画像読取装置では、ユーザが望む画像読取処理を十分に行えないことがあった。なお、このような問題は、キャリアシートを用いた画像読取処理に限って発生するものではなく、他の搬送媒体に対する画像読取処理においても同様に発生するおそれがある。
【課題を解決するための手段】
【０００５】
本発明は、搬送媒体を搬送する搬送手段と、搬送される前記搬送媒体の画像を読み取る画像読取センサと、前記搬送媒体に設けられたマークを読み取るマーク読取センサと、前記マーク読取センサによるマーク読取結果に基づいて、前記画像読取センサが前記搬送媒体の画像を読み取るときの画像読取条件を変更する条件変更手段と、を備えたことを特徴とする画像読取装置にある。
【発明の効果】
【０００６】
本発明によれば、ユーザが望む画像読取処理を実行可能な画像読取装置を実現できる。
【図面の簡単な説明】
【０００７】
【図１】本発明の実施形態１に係る画像読取装置の概略図。
【図２】図１の画像読取装置の制御ユニットのブロック図。
【図３】本発明の実施形態１に係る画像読取装置の正面図。
【図４】本発明の実施形態１に係る画像読取装置の他の正面図。
【図５】本発明の実施形態１に係る画像読取装置の上面図。
【図６】本発明の実施形態１に係る画像読取装置の他の上面図。
【図７】本発明の実施形態１に係る画像読取装置の画像読取ユニットの断面図。
【図８】本発明の実施形態１に係る画像読取装置の異常検知センサ部拡大図。
【図９】本発明の実施形態１に係る画像読取装置の異常検知センサ部断面図。
【図１０】本発明の実施形態１に係る画像読取装置のマーク付きキャリアシートの概略図。
【図１１】本発明の実施形態１に係る画像読取装置のキャリアシートのマーク形状の概略図。
【図１２】本発明の実施形態１に係る画像読取装置のキャリアシートのマークとマーク検出センサの概略図。
【図１３】本発明の実施形態１に係る画像読取装置のマーク検出センサの概略図。
【図１４】本発明の実施形態１の画像読取装置のフローチャート。
【図１５】本発明の実施形態１のマーク読取センサ動作概略図。
【図１６】本発明の実施形態２の画像読取装置のフローチャート。
【図１７】本発明の実施形態２のマーク読取センサ動作概略図。
【発明を実施するための形態】
【０００８】
（実施形態１）
図１は本発明の実施形態１に係る画像読取装置Ａの概略図である。
＜装置の構成＞
画像読取装置Ａは、載置台１に積載された一又は複数の搬送媒体Ｓを１つずつ装置本体内に経路ＲＴにて搬送してその画像を読み取り、排出トレイ２に排出する装置である。読み取る搬送媒体Ｓは、例えば、ＯＡ紙、チェック、小切手、名刺、カード類等のシートであり、厚手のシートであっても、薄手のシートであってもよい。カード類は、例えば、保険証、免許証、クレジットカード等を挙げることができる。搬送媒体Ｓには、また、パスポートなどの冊子も含まれる。特に冊子などの搬送媒体を対象とする場合、キャリアシートとなるホルダ２００を用いることができる。透明なホルダ２００に見開き状態の冊子などの搬送媒体Ｓを収容して載置台１に載置することで、搬送媒体Ｓがホルダ２００と共に搬送され、その画像を読み取ることができる。
【０００９】
＜給紙＞
搬送路となる経路ＲＴに沿って搬送媒体Ｓを給送する給送機構（給送手段）としての第１搬送部１０が設けられている。第１搬送部１０は本実施形態の場合、送りローラ１１と、送りローラ１１に対向配置される分離ローラ１２と、を備え、載置台１上の搬送媒体Ｓを搬送方向Ｄ１に一つずつ順次搬送する。
【００１０】
送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
【００１１】
＜駆動部＞
駆動部３と送りローラ１１とを接続する伝達部５は、例えば、本実施形態では、通常時において駆動力が伝達される状態とし、搬送媒体Ｓを逆送または停止する場合には駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
【００１２】
＜分離構造＞
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向））に回転駆動される。
【００１３】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００１４】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作用を持たせるようにしてもよい。
【００１５】
なお、このような分離機構は、分離ローラ１２と送りローラ１１との接圧状態を解除するような非分離切替え部を設けてもよい。この非分離切替え部は、ユーザが手動で操作できるレバーに連動し、送りローラ１１から分離ローラ１２を退避するような機構を設ければよい。このような分離切替え機構は、上述したキャリアシートを使う場合に、非分離に切り替えるようにすればよい。
【００１６】
＜搬送構造＞
第１搬送部１０の搬送方向下流側にある搬送機構（搬送手段）としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００１７】
このような第２搬送部２０よりも搬送方向下流側にある搬送手段となる第３搬送部３０は、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は排出機構として機能する。
【００１８】
駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れ回る。この従動ローラ３２は、バネ等の付勢ユニット（不図示）によって駆動ローラ３１に対して付勢された構成としてもよい。
【００１９】
排出トレイ２は、画像読取装置Ａに対して回動可能なように、画像読取装置Ａの下方に設けられた第１ヒンジ１０１を介して軸支されている。また、第１ヒンジ１０１側の第１排出トレイ２ａとその先端側に接続された第１延長トレイ２ｂ、第２延長トレイ２ｃ、第３延長トレイ２ｄとから構成されている。
【００２０】
第１延長トレイ２ｂは第１排出トレイ２ａに対して摺動可能に支持されており、第２延長トレイ２ｃは第１延長トレイ２ｂに対して摺動可能に支持されており、第３延長トレイ２ｄは第２延長トレイ２ｃに対して摺動可能に支持されている。
【００２１】
＜画像読取構造、制御＞
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。
【００２２】
第２搬送部２０及び第３搬送部３０の搬送速度は常に第１搬送部１０の搬送速度以上とすることで、先行搬送媒体Ｓに後続搬送媒体Ｓが追いついてしまう事態を回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００２３】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
【００２４】
＜重送検出＞
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。
【００２５】
重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
【００２６】
＜媒体検出センサ＞
このような重送検出センサ４０よりも搬送方向下流側に配置される媒体検出センサ５０は第２搬送部２０よりも上流側で、第１搬送部１０よりも下流側に配置された経路ＲＴ上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。
【００２７】
媒体検出センサ５０としては、種々のものが利用可能であるが、本実施形態の場合には光学センサであり、発光部５１とその受光部５２とを備え、搬送媒体Ｓの到達又は通過により受光強度（受光量）が変化することを原理として搬送媒体Ｓを検出する。
【００２８】
本実施形態の場合、搬送媒体Ｓの先端が媒体検出センサ５０で検出された時点で、搬送媒体Ｓが重送検出センサ４０により重送を検出可能な位置に到達しているように、上記の媒体検出センサ５０は重送検出センサ４０の近傍においてその下流側に設けられている。
【００２９】
なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００３０】
媒体検出センサ５０とは別の媒体検出センサ６０が画像読取ユニット７０よりも上流側に配置されている。第２搬送部２０よりも下流側に配置された下流側の検出センサとしての一例であり、第２搬送部２０により搬送される搬送媒体Ｓの位置を検出する。媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、何れか一方だけでもよい。
【００３１】
＜ＣＩＳの配置＞
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。
【００３２】
本実施形態の場合、画像読取ユニット７０は経路ＲＴの両側に一つずつ配置されており、搬送媒体Ｓの表裏面を読み取る。経路ＲＴの片側にのみ一つ配置して、搬送媒体Ｓの片面のみを読み取る構成としてもよい。また、本実施形態では、画像読取ユニット７０を経路ＲＴの両側に対向配置した構造としているが、例えば、経路ＲＴの方向に間隔をあけて配置してもよい。
【００３３】
＜ブロック図の説明＞
図２を参照して制御部８０について説明する。図２は画像読取装置Ａの制御部８０のブロック図である。
【００３４】
制御部８０はＣＰＵ８１、記憶部８２、操作部８３、通信部８４及びインターフェース部８５を備える。ＣＰＵ８１は記憶部８２に記憶されたプログラムを実行することにより、画像読取装置Ａ全体の制御を行う。記憶部８２は例えばＲＡＭ、ＲＯＭ等から構成される。操作部８３は、例えば、スイッチやタッチパネル等で構成され、操作者からの操作を受け付ける。
【００３５】
通信部８４は、外部装置との情報通信を行うインターフェースである。外部装置としてＰＣ（パソコン）を想定した場合、通信部８４としては、例えば、ＵＳＢインターフェースやＳＣＳＩインターフェースを挙げることができる。また、このような有線通信のインターフェースの他、通信部８４は無線通信のインターフェースとしてもよく、有線通信、無線通信の双方のインターフェースを備えていてもよい。
【００３６】
インターフェース部８５はアクチュエータ８６やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０等が含まれる。
【００３７】
＜ＰＣからの開始指示受信による駆動＞
画像読取装置Ａの基本的な動作について説明する。制御部８０は、例えば画像読取装置Ａが接続された外部パソコンから画像読み取りの開始指示を受信すると、第１乃至第３搬送部１０乃至３０の駆動を開始する。載置台１に積載された搬送媒体Ｓはその最も下に位置する搬送媒体Ｓから１つずつ搬送される。
【００３８】
また、後述するように、画像読取装置Ａの操作部８３に設けられたスタートキーによって画像の読み取りを開始し、その後画像読取の開始を外部パソコンに通知するようにしてもよい。
【００３９】
＜重送時の制御＞
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
【００４０】
＜媒体検出センサ６０の出力に応じた読取開始＞
制御部８０は、媒体検出センサ６０の検出結果に基づくタイミングで、第２搬送部２０により搬送されてきた搬送媒体Ｓの、画像読取ユニット７０による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
【００４１】
＜表示パネルの構成＞
図３は本発明の実施形態１に係る画像読取装置Ａの排出トレイ２を展開した状態の正面図である。より正確には、画像読取装置Ａの正面側に傾斜して設けられた正面パネル９０に対して垂直な方向から見た図であり、装置を載置した状態における正面よりもやや上方から見た状態の図である。
【００４２】
正面上部の正面パネル９０には表示パネル９３が設けられ、その内部には操作部８３の一例としての操作キー群１２２が設けられている。
【００４３】
操作キー群１２２には、画像読取装置Ａの動作を開始するためのスタートキー、ストップキーなどが設けられており、操作キー群１２２に隣接するようにして表示部９４が設けられている。
【００４４】
＜排紙構造＞
図４は本発明の実施形態１に係る画像読取装置Ａの排出トレイ２を収納した状態の正面図である。
【００４５】
正面下部の下部パネル９１には排出開口９２が設けられており、第３搬送部３０によって搬送された搬送媒体Ｓが排出トレイ２上に排出される。
【００４６】
排出トレイ２は、画像読取装置Ａに対して回動可能なように、画像読取装置Ａの下方に設けられた第１ヒンジ１０１を介して軸支されており、第１排出トレイ２ａによって本体前面を覆うように構成されている。
【００４７】
第１排出トレイ２ａは、第１ヒンジ１０１を支点として回動可能に画像読取装置Ａの本体１００に取り付けられている。第１排出トレイ２ａは、正面パネル９０と同サイズで形成され、図４に示すような排出トレイ２の収納状態において、第１ヒンジ１０１を支点として回動し、正面パネル９０を覆うように折り畳まれる。排紙トレイ２を正面パネル９０側に折り畳んだ状態において、排出開口９２は開放されており、搬送された搬送媒体Ｓの排出が可能となっている。
【００４８】
図５は本発明の実施形態１に係る画像読取装置Ａの排出トレイ２を展開した状態における上面図である。
【００４９】
第３搬送部３０により搬送されてきた搬送媒体Ｓは、排出開口９２を経て第１排出トレイ２ａに排出され、搬送媒体Ｓのサイズによっては第１排出トレイ２ａから引き出された第１延長トレイ２ｂ、第２延長トレイ２ｃ、第３延長トレイ２ｄまで到達し、案内される。
【００５０】
第３延長トレイ２ｄには、排出位置調整部材１２０が回動可能に設けられており、搬送媒体Ｓの搬送方向に対する長さに応じて引き出された各延長トレイに対し、起立状態に回動させることで搬送媒体Ｓが停止する位置を調整し、排出された搬送媒体Ｓを散らばりにくくして整列性を向上できる。
【００５１】
＜給送構造詳細＞
図６は本発明の実施形態１に係る画像読取装置Ａの排出トレイ２を収納した状態における上面図である。
【００５２】
給送トレイ１１０には、配置される搬送媒体Ｓの大きさに合わせて搬送方向に対して直交する方向にスライド可能に取り付けられた規制部材１１１が設けられている。また、給送トレイ１１０の中央には、引き出して使用することのできる給紙延長トレイ１１２が設けられている。
【００５３】
＜ＣＩＳユニット＞
図７は本発明の実施形態１に係る画像読取装置Ａの画像読取ユニット７０の断面図である。
【００５４】
本実施形態においては、画像読取ユニット７０は搬送路ＲＴの両側に対向させて配置しており、以下の説明ではそれぞれ画像読取ユニット７０ａ、７０ｂとする。画像読取ユニット７０ａと７０ｂとは、搬送路ＲＴを挟んで対象に配置された同構造を有するセンサユニットである
【００５５】
画像読取ユニット７０ａは、内部にコンタクトイメージセンサ（以下、ＣＩＳ）７１ａと、色基準板７２ａが設けられている。
【００５６】
下部ユニット１０４に配置されたＣＩＳ摺動モータ７３の駆動力を、画像読取ユニット７０下部に設けられた伝達部材７４および伝達部材連結部１４５を介して伝達することで、ＣＩＳ７１ａおよび色基準板７２ａは、搬送方向に対し摺動可能に配置される。ＣＩＳ７１ａおよび色基準板７２ａを摺動させることによって、背景色の切り替えが可能である。
【００５７】
読取画像の背景色を白にする場合は、ＣＩＳ摺動モータ７３によってＣＩＳ７１ａを摺動させ、読み取り位置を対向する白色基準板７２ｂの位置に配置することにより白背景読取が可能となる。このとき、ＣＩＳ７１ａと白色基準板７２ａとが一体となって移動するので、ＣＩＳ７２ａを白背景位置に配置するとＣＩＳ７２ｂの読み取り位置と対向する位置に白色基準板７２ａが配置され、画像読取ユニット７０ａ、７０ｂの両方で白背景の読み取りが可能となる。
【００５８】
読取画像の背景色を黒にする場合はＣＩＳ７１ａの読み取り位置を対向する黒背景部７６ｂの位置に配置することにより黒背景の読み取りが可能となる。
【００５９】
ＣＩＳ７１ａ内の発光素子の発光を黒背景部７６ｂの斜面で拡散させ、ＣＩＳ７１ａ内の受光素子へ入光させないことで黒背景の読み取りを実現する。
【００６０】
画像読取ユニット７０ｂも画像読取ユニット７０ａ同様の構造であるが、ＣＩＳ７１ｂはＣＩＳ摺動モータ７３による駆動はされずに、ユニット内に固定されている。
【００６１】
画像読取ユニット７０ａは、下部ユニット１０４の収容部７７に挿入される際に、下部ユニット１０４側から突出した金属製の下部弾性部材７５を付勢しながら挿入され、収容完了位置において、嵌合固定される。
【００６２】
画像読取ユニット７０ａの下面は不図示の金属製部材７６で覆われており、ＣＩＳ７１ａなどの電装部品とアースが取られている。金属製部材７６で下部弾性部材７５を付勢しながら挿入されることで、画像読取ユニット７０は下部ユニット１０４に対しアースされる。
【００６３】
ここで、画像読取ユニット７０は、下部弾性部材７５によって上方に付勢されているため、嵌合固定を外すだけで画像読取ユニット７０が上方に持ち上げられ、画像読取ユニット７０の取り外しが容易となり、メンテナンス性を向上できる。
【００６４】
下部ユニット１０４の収容部７７は、下部ユニット１０４と対向する３面が構成されるように金属製板材を折り曲げて形成されている。
以上、本発明の実施形態について詳細に説明したが、本発明の範囲内にて種々の変更が可能であることは当業者にとって明らかである。
【００６５】
＜異常検知センサ＞
送りローラ１１と分離ローラ１２との圧接部から搬送方向Ｄ１に沿って、図８のように等間隔で第１異常検知センサ１５１〜第６異常検知センサ１５６が設けられている。
【００６６】
本実施形態の第１異常検知センサ１５１〜第６異常検知センサ１５６は光学センサであり、図９に示すように、発光部１６０と対応する受光部１６１とを備えている。発光部１６０は、ＬＥＤである。受光部１６１は、ＬＥＤの光エネルギーを感知できるフォトトランジスタである。以下の説明では、異常検知センサ１５１〜１５６は搬送異常検出センサの一例であり、表現上まとめて異常検知センサ１５０と呼ぶことがある。
【００６７】
図９のように下部ユニット１０４には発光部１６０を配置し、発光部１６０の対向側の上部ユニット１０３に受光部１６１を配置している。本実施形態では、媒体搬送装置のフットプリントを低減し、省スペースな設置を可能にするために、載置台１からの給送方向が装置載置面に対して傾きを持つように設け、搬送路ＲＴの給送口が鉛直方向上側を向くように設けられている。
【００６８】
この構成によれば、通常上方に配置されることが多い照明光などが給送口に侵入しやすくなるが、受光部１６１を上部ユニット１０３に設けることで、外光が受光部１６１に直接入りにくくなっている。
【００６９】
また、受光部１６１を上部ユニット１０３に設けることで、埃等が積もりにくくなり、埃等による誤検知を防ぐことができる。なお、異常検知センサ１５０は、搬送媒体Ｓの到達又は通過により受光強度（受光量）が変化することを原理として搬送媒体Ｓを検出するため、発光部１６０と受光部１６１とを一つのモールド部品にまとめたフォトインタラプタでもよい。
【００７０】
異常検知センサ１５０は、発光部１６０が点灯して発光した光を受光部１６１で検出し、搬送媒体Ｓが到達するとその光が遮られて受光部１６１の検出値が下がることによって搬送媒体Ｓが到達したことと抜けたことを検出する。搬送媒体Ｓが到達した時間（タイミング）から搬送媒体Ｓの挙動を読み、異常な挙動をしていれば搬送媒体Ｓの搬送を停止し、ユーザにエラーを通知する。
【００７１】
＜マーク付きキャリアシート＞
図１０は本発明の実施形態１に係る画像読取装置のマーク付きキャリアシート１７０の概略図である。図に示すように透明な二枚のフィルム状もしくは板状の素材、第１板状部材１７３と第２板状部材１７４とを先端側の辺１７２で閉じた形状をしている。右または左側方の辺は閉じても閉じなくてもよい。このキャリアシート１７０に原稿１７５を入れて搬送する。
【００７２】
＜位置検出用マーク＞
キャリアシート１７０の右または左側方部の辺にはマーク１７１が形成されている。マーク１７１は黒線と透明部分が一定間隔で繰り返されるパターンである。マークを検出しやすくするために透明ではなく白色などの色がついていてもよい。マークは進行方向に対して垂直方向に配置される。
【００７３】
マークの形状は図１１に示すように搬送方向に対して角度をつけた斜めのマークでもよい（ａ）。マークは全て同じ形状である必要はなく、斜めの形状を組み合わせたマーク（ｂ）、斜めと横線を組み合わせたマーク（ｃ）でもよい。
【００７４】
マークの間隔はマーク検出センサの測定値を比較できればよいので一定でなくてもよい。マークの形状に合わせてマーク間隔をかえるとよい。なお、原稿にマークが無いためキャリアシートを使用する方法を説明したが、申込書、伝票等、書式が決まっている原稿の場合、原稿に直接前述のマークを印刷してもよい。
【００７５】
＜マーク読取センサ＞
図１２は本発明の実施形態１に係る画像読取装置のマーク検出センサの概略図である。送りローラ１１と分離ローラ１２との圧接部から搬送方向Ｄ１に沿って下流側の位置にマーク検出センサ１９０、１９１が設けられている。本実施形態のマーク検出センサは光学センサであり、構成は前述の異常検知センサと同等であるため詳細は省略する。
【００７６】
図１３はマーク１７１を貼付したキャリアシート１７０を搬送しているときのマーク１７１とマーク検出センサ１９０，１９１との位置関係を示した図である。ここで用いるマーク検出センサ１９０、１９１は、発光素子１８１と受光素子１８２が、マーク１７１を挟んで対向配置された透過型センサである。
【００７７】
マーク１７１を貼付した原稿の搬送中に、マーク１７１の黒い部分がマーク検出センサ１９０又は１９１を通過しているときは、発光素子１８１からの光はほとんど透過されないため受光素子１８２の出力信号は“Ｌ”となる。一方、透明部分がマーク検出センサ１９０又は１９１を通過しているときは、発光素子１８１からの光が透過されるため受光素子１８２の出力信号は“Ｈ”となる。
【００７８】
ここで、本実施形態では、画像読取装置Ａの制御部８０（ＣＰＵ８１）が、マーク検知センサ１９０又は１９１の出力結果（出力信号）に基づいて、記憶部８２に予め記憶された信号パターンに紐づけされた画像読取条件を設定し、キャリアシート１７０に収容された原稿の画像読取条件を変更する。すなわち、画像読取装置Ａの制御部８０（ＣＰＵ８１）が、原稿の画像読取条件を変更する条件変更手段となる。なお、信号パターンに紐づけされた画像読取条件としては、例えば、原稿の一部の部分のみ高解像度で画像の読み取りを行い、高解像度で読み取った部分のみにＯＣＲ処理を施すなどの制御を挙げることができる。
【００７９】
また、マーク検出センサ１９０、１９１としては、発光素子１８１と受光素子１８２とを搬送路ＲＴの原稿の厚み方向において同じ側に配置した反射型でもよい。マークを読み取っているときの出力はパルス状になり、このパルスをカウントすることにより、原稿先端からの位置を算出できる。
【００８０】
なお、マーク検出センサ１９０、１９１としては、検出センサとなる前述の媒体検出センサ、搬送異常検出センサとなる前述の異常検知センサで代用してもよい。
【００８１】
＜読取設定変更＞
図１４、図１５を用いて、実施形態１に係る画像読取装置における読取設定変更の詳細な動作を説明する。
【００８２】
画像の読み取りを開始する前に原稿の中で画像読取設定を変更したい領域Ｅ１の位置を指定する。位置の設定は本実施形態では原稿先端からの距離を指定する。具体的には図１５におけるマークＰ１からマークＰ２が領域Ｅ１の範囲となる。この領域Ｅ１は画像読取後、ＯＣＲ（Ｏｐｔｉｃａｌ Ｃｈａｒａｃｔｅｒ Ｒｅｃｏｇｎｉｔｉｏｎ）やＯＭＲ（Ｏｐｔｉｃａｌ Ｍａｒｋ Ｒｅｃｏｇｎｉｔｉｏｎ）などの画像処理を行う為に高画質での画像読み取りが必要な領域とする。つまり、ユーザが高解像度での画像読み取りを望む領域をマークの位置として予め設定しておけば、それ以外は低解像度での読み取りも可能となるため、全体としてスループットを極端に落とさず、ユーザが望む画像読み取りを行うことができる。
【００８３】
搬送開始時の読み取り設定は任意でありここでは搬送速度ｖ１[ｍｍ/ｓｅｃ]、解像度ｒ１[ｄｐｉ]とする（Ｓ２０１）。キャリアシート１７０に原稿１７５をいれて載置台１に載置し搬送を開始する。マーク検出センサ１９０又は１９１が搬送方向Ｄ１における最下流端に設けられたマークを検出することで原稿先端を検出するまで搬送が継続される（Ｓ２０２  ＮＯ）。
【００８４】
マーク検出センサ１９０又は１９１が原稿先端を検出したら（Ｓ２０２  ＹＥＳ）マークの出力値のパルス波のカウントを制御部８０が開始する（Ｓ２０３）。マーク検出センサ１９０又は１９１がマークＰ１を検出するまで搬送する（Ｓ２０４  ＮＯ）。
【００８５】
マーク検出センサ１９０又は１９１がマークＰ１を検出したとき（Ｓ２０４  ＹＥＳ）マーク検出センサ１９０又は１９１の位置Ｌ２から画像読取センサ位置Ｌ１までの距離をＳ１[ｍｍ]とし、マーク検出センサ１９０又は１９１の出力による制御部８０のカウントから算出される距離がＳ１になるまで搬送する（Ｓ２０５  ＮＯ）。
【００８６】
カウントから算出される距離がＳ１になったとき（Ｓ２０５  ＹＥＳ）読み取り設定を変更する（Ｓ２０６）。搬送速度をｖ２[ｍｍ/ｓｅｃ]、解像度をｒ２[ｄｐｉ]に変更する。ここで搬送速度ｖ２はｖ２＜ｖ１、解像度ｒ２はｒ２＞ｒ１である。なお、搬送された距離がＳ１になったことを検出する方法はマークＰ１のカウントに限られず、マークＰ１を検出した時点から、搬送速度ｖ１で距離Ｓ１搬送する時間Ｓ１／ｖ１経過したことによって行うなどによって行っても良い。
【００８７】
ここで、読み取り設定の変更はマークＰ１を検出してからＳ１搬送する間に実施されていればよい。次にマーク検出センサ１９０又は１９１がマークＰ２を検出するまで搬送する（Ｓ２０７  ＮＯ）。
【００８８】
マーク検出センサ１９０又は１９１がマークＰ２を検出したとき（Ｓ２０７  ＹＥＳ）同様に距離Ｓ１になるまで搬送する（Ｓ２０８  ＮＯ）。カウントから算出される距離がＳ１になったとき（Ｓ２０８  ＹＥＳ）読み取り設定を変更する（Ｓ２０９）。すなわち、搬送速度をｖ１、解像度をｒ１に戻す。変更後に搬送速度ｖ１で原稿後端が画像読取センサの読取位置に到達するまで搬送し、画像読取を終了する。その後、所定の搬送速度（例えば搬送速度ｖ１）で原稿を排出開口９２まで搬送する。
【００８９】
以上説明したように、本実施形態によれば、高画質の画像読取が必要な領域Ｅ１のみ搬送速度を遅くして高解像度で読み取りを行い、他の領域では搬送速度を速くして画像読取を行うので、画像読取にかかる時間の短縮を図ることができる。このように、搬送条件として搬送速度を変更して画像読取の解像度を変更して、所望の領域のみ高解像度に読取を行うことができる。このとき、画像読取センサの駆動条件は、搬送条件（搬送速度）を変更する前後で変更されておらず、搬送条件の変更のみで解像度の変更を行っている。
【００９０】
また、本実施形態では読み取り設定変更領域Ｅ１を原稿先端と領域Ｅ１の境界にあるマークＰ１とマークＰ２で計測するため、原稿の搬送速度が多少増減しても領域Ｅ１が精度よく検出できる。
【００９１】
なお、実際には、Ｓ２０４からＳ２０６の処理とＳ２０７からＳ２０９の処理は、Ｐ１からＰ２の長さが距離Ｓ１に比べて短い時には同時に実行されるが、説明を簡単にするために図１４においては順に処理されるように説明している。
【００９２】
（実施形態２）
図１６、図１７を用いて、実施形態２に係る画像読取装置における読取設定変更の詳細な動作を説明する。構成は実施形態１と同様であるため説明を省略し、異なる部分のみ説明する。
【００９３】
本実施形態では領域Ｅ１を検出するためにマークＰ１とマークＰ２の位置を検出し基準としていた。本実施形態では原稿先端を基準として指定された指定距離に到達したことを検知することで領域Ｅ１を検出する。
【００９４】
搬送開始時の読み取り設定は任意でありここでは搬送速度ｖ１[ｍｍ/ｓｅｃ]、解像度ｒ１[ｄｐｉ]とする（Ｓ２２１）。キャリアシート１７０に原稿１７５を入れて載置台１に載置し搬送を開始する。
【００９５】
マーク検出センサ１９０又は１９１が原稿先端を検出するまで搬送が継続される（Ｓ２２２  ＮＯ）。マーク検出センサ１９０又は１９１が原稿先端を検出したら（Ｓ２２２  ＹＥＳ）本体クロック等により時間の計測を開始し、時間と設定搬送速度から搬送距離を算出する。
【００９６】
マーク検出センサが原稿先端を読取った位置と画像読取センサにおける読取位置との距離をＤ０[ｍｍ]とし原稿先端から領域Ｅ１の先端までの距離（指定距離）をＤ１[ｍｍ]とする。この場合、マーク検出センサ１９０又は１９１が原稿先端を検出してから距離（Ｄ０＋Ｄ１）になるまで搬送を継続する（Ｓ２２３  ＮＯ）。
【００９７】
距離（Ｄ０＋Ｄ１）搬送したとき（Ｓ２２３  ＹＥＳ）読み取り設定を変更する（Ｓ２２４）。すなわち、搬送速度をｖ２[ｍｍ/ｓｅｃ]、解像度をｒ２[ｄｐｉ]に変更する。
【００９８】
ここで搬送速度ｖ２はｖ２＜ｖ１、解像度ｒ２はｒ２＞ｒ１である。ここで、読み取り設定の変更は原稿先端を検出してから距離（Ｄ０＋Ｄ１）搬送する間に実施されていればよい。
【００９９】
次に領域Ｅ１の先端から後端までの距離をＤ２[ｍｍ]とする。この場合、領域Ｅ１の先端が画像読取センサにおける読取位置に到達した時点から距離Ｄ２になるまで搬送を継続する（Ｓ２２５  ＮＯ）。距離Ｄ２搬送したとき（Ｓ２２５  ＹＥＳ）読み取り設定を変更する（Ｓ２２６）。すなわち、搬送速度をｖ１、解像度をｒ１に戻す。変更後に搬送速度ｖ１で原稿後端が画像読取センサの読取位置に到達するまで搬送し、画像読取を終了する。その後、所定の搬送速度（例えば搬送速度ｖ１）で原稿を排出開口９２まで搬送する。
【０１００】
本実施形態によって実施形態１と同様の読み取り時間短縮を行うことができる。また、マークの検出が必要ないため制御部８０への処理負荷を押さえることができる。
【０１０１】
また、原稿先端が検出できれば良いので、キャリアシート１７０に原稿を入れる必要がない。ただし、原稿の搬送速度が一定ではない場合は原稿先端からの距離が離れるほど領域Ｅ１の検出精度が本実施形態に比較して悪くなる。
【０１０２】
（実施形態３）
ジョブコントロールシート（画像読取条件の設定シート）を使用して本実施形態に係る画像読取装置における読取設定変更の詳細な動作を説明する。
【０１０３】
ジョブコントロールシートで領域Ｅ１の位置をジョブ毎に設定することができる。たとえばジョブ１は先端ｗ１[ｍｍ]からｗ２[ｍｍ]まで読み取り設定を変更、ジョブ２は先端ｙ１[ｍｍ]からｙ２[ｍｍ]まで読み取り設定を変更といったことができる。また、キャリアシートが必要なく、原稿にマークを印字しなくても複数枚に対して一括設定ができる。ジョブコントロールシートで指定する内容は領域Ｅ１の位置、変更搬送速度、変更解像度、変更枚数、原稿サイズ等である。
【０１０４】
この場合には、搬送媒体は、マークが設けられたジョブコントロールシートと、画像読取センサによって画像を読み取る対象となる原稿となり、ジョブコントロールシートを先行して搬送し、後続を読取対象とする原稿とする。これにより、ジョブコントロールシートに設けられたマークをマーク読取センサによって読み取って得たマーク読取結果に基づいて、ジョブコントロールシートに続けて搬送される原稿の画像を読み取る画像読取条件を、制御部によって原稿画像の読み取り中に変更制御することができる。
【０１０５】
なお、ジョブコントロールシートを読み取ってから次にジョブコントロールシートを読み取るまでの間もしくはバッチごとの読み取り処理が終了するまでの間の画像読取条件を読み取ったジョブコントロールシートに従うようにすることで、バッチ内に複数のジョブコントロールシートを設けて、複数の画像読取条件を適用することも可能となる。
【０１０６】
（他の実施形態）
以上、本発明を各実施形態に基づいて詳細に説明したが、本発明は上述した実施形態の構成に限定されるものではない。
【０１０７】
例えば、上述した実施形態１及び２では、原稿を収容したキャリアシートを搬送媒体として搬送して原稿の画像を読み取る画像読取装置について説明した。本発明は勿論これに限定されず、例えば、原稿の端部にマークＰ１、Ｐ２を設け、その原稿を搬送しながら原稿のマークをマーク検知センサで読み取って得たセンサ検知結果に基づいて、搬送中の原稿に対する画像読取条件を変更するようにしてもよい。この場合、帳票などの原稿であることに対して設けていることが好適である。帳票でなくとも、原稿に対して読取条件を変更することを示すマーク（マークＰ１、Ｐ２）を付与することで、同様に所望の画像読取処置を実行可能となる。
【０１０８】
また、上述した各実施形態では、１つの搬送媒体（キャリアシート）に対して適用する画像読取条件を１回変更するようにしたが、本発明は勿論これに限定されず、例えば、１つの搬送媒体に対して適用する画像読取条件を複数回変更するようにしてもよい。これにより、例えば、１つの搬送媒体において所定の複数部分（ＯＣＲ処理を行う領域）を高解像度で読み取り、それ以外は低解像度で読み取るようにして、スループットを極端に落とさず、その後のＯＣＲなどの後処理を高精度に行うことができる。
【０１０９】
また、上述した実施形態においては、検出センサや搬送異常検出センサをマーク検出センサとして使用する例を説明したが、本発明はこれに限られず、例えば画像読取センサを媒体異常検知センサとして使用することも可能である。この場合、画像読取センサとしてラインイメージセンサを用いていれば、読み取った複数ラインの画像データから、マークＰ１、Ｐ２が含まれるかどうかを判別し、それに基づいて画像読取条件を変更することが可能である。画像読取センサを媒体異常検知センサとして用いる場合には、特に、第２実施形態のように、原稿先端からの距離やマークを検出した位置からの長さを指定することによって画像読取制御を切り替えることが好ましい。こうすることで、例えば、原稿の先端側にマークを設けて画像読取センサによって読み取りつつ、原稿における所望の位置が画像読取センサに到達したタイミングで速やかに画像読取条件の変更を行うことが可能となる。
【符号の説明】
【０１１０】
Ａ  画像読取装置
Ｓ  搬送媒体
１  載置台
２  排出トレイ
２ａ  第１排出トレイ
２ｂ  第１延長トレイ
２ｃ  第２延長トレイ
２ｄ  第３延長トレイ
３  駆動部
４  駆動部
５  伝達部
１０  第１搬送部
１１  送りローラ
１２  分離ローラ
２０  第２搬送部
３０  第３搬送部
７０  画像読取ユニット
８０  制御部
９０  正面パネル
１００  本体
１２２  操作キー群
１５０  異常検知センサ
１７０  キャリアシート
１７１  検知用マーク
１９０、１９１  マーク検出センサ
【図１】
2019201260.tif 000003
【図２】
2019201260.tif 000004
【図３】
2019201260.tif 000005
【図４】
2019201260.tif 000006
【図５】
2019201260.tif 000007
【図６】
2019201260.tif 000008
【図７】
2019201260.tif 000009
【図８】
2019201260.tif 000010
【図９】
2019201260.tif 000011
【図１０】
2019201260.tif 000012
【図１１】
2019201260.tif 000013
【図１２】
2019201260.tif 000014
【図１３】
2019201260.tif 000015
【図１４】
2019201260.tif 000016
【図１５】
2019201260.tif 000017
【図１６】
2019201260.tif 000018
【図１７】
2019201260.tif 000019